(57)【特許請求の範囲】
【請求項１】
外壁の開口部に取り付けられる窓枠と、前記窓枠内に、室外側に向けて開閉自在に設けられた障子とを備えた窓サッシにおいて、
前記窓枠は、上下枠と一対の縦枠とを備え、
前記上枠には、雨水が前記上枠に沿って流れる流路が設けられ、
前記上枠の一端には、前記縦枠と障子の一端側とで形成される間隙に連通する排水孔が設けられ、
前記下枠には、前記間隙に連通し且つ外部に開口する排出口が設けられ、
前記縦枠の上端には、雨水を前記上枠の流路に向けて案内する案内部材が設けられていることを特徴とする窓サッシ。
【請求項２】
請求項１に記載の窓サッシにおいて、
前記上枠は、中空部を有し、前記中空部の上片には、排水孔が設けられ、
前記中空部の下片には、前記間隙の上端開口に連通する排水孔が設けられていることを特徴とする窓サッシ。
【請求項３】
外壁の開口部に取り付けられる窓枠と、前記窓枠内に、室内側に向けて開閉自在に設けられた障子とを備えた窓サッシにおいて、
前記窓枠は、上下枠と一対の縦枠とを備え、
前記上枠には、雨水が前記上枠に沿って流れる流路が設けられ、
前記上枠の一端には、前記流路に連通し且つ外部に開口する排出口が設けられ、
前記縦枠の上端には、雨水を前記上枠の流路に向けて案内する案内部材が設けられていることを特徴とする窓サッシ。
【請求項４】
請求項３に記載の窓サッシにおいて、
前記上枠は、中空部を有し、前記中空部の上片に、排水孔が設けられ、
前記中空部の屋外側には、前記排出口が設けられたことを特徴とする窓サッシ。
【請求項５】
開口部を有する外壁と、前記外壁の開口部に取り付けられた窓枠と、前記窓枠内に、室外側に向けて開閉自在に設けられた障子とを備え、
前記窓枠は、上下枠と一対の縦枠とを備え、
前記上枠には、雨水が前記上枠に沿って流れる流路が設けられ、
前記上枠の一端には、前記縦枠と障子の一端側とで形成される間隙に連通する排水孔が設けられ、
前記下枠には、前記間隙に連通し且つ外部に開口する排出口が設けられ、
前記縦枠の上端には、雨水を前記上枠の流路に向けて案内する案内部材が設けられていることを特徴とする構築物における窓の防水構造。
【請求項６】
開口部を有する外壁と、外壁の開口部に取り付けられた窓枠と、前記窓枠内に、室内側に向けて開閉自在に設けられた障子とを備え、
前記窓枠は、上下枠と一対の縦枠とを備え、
前記上枠には、雨水が前記上枠に沿って流れる流路が設けられ、
前記上枠の一端には、前記流路に連通し且つ外部に開口する排出口が設けられ、
前記縦枠の上端には、雨水を前記上枠の流路に向けて案内する案内部材が設けられていることを特徴とする構築物における窓の防水構造。
【発明の詳細な説明】
【技術分野】
【０００１】
本発明は、ビルディング、マンション、一般家屋等の構築物の外壁に取り付けられる窓サッシおよび構築物における窓の防水構造に関する。
【背景技術】
【０００２】
従来、ビルディング、マンション、一般家屋等の構築物の外壁に形成された開口部には、上下枠と一対の縦枠とから構成された窓枠が固定され、この窓枠には、例えば、すべり出し式の障子や、内開き式の障子等の障子が、開閉自在に取り付けられている。
【０００３】
かかる窓枠と外壁との間には、シーリング材が介在されており、このシーリング材により、雨水が窓枠と外壁との間から外壁内に浸入するのを防止している。
【０００４】
しかし、経年等によりシーリング材が劣化したり、破断したりして、窓枠と外壁との間のシール機能が低下するおそれがある。特に、窓枠の上部は、雨水に晒されやすく、外壁を伝って落下する雨水が滞留しやすい。この結果、かかる雨水は、シール性が低下した窓枠と外壁との間から、外壁内や部屋内に浸入するおそれがあった。
【０００５】
そこで、窓枠の上部と外壁との間から浸入した雨水が、外壁内や部屋内に浸入するのを防止する手段を備えた窓サッシが提案されている（例えば、特許文献１参照）。かかる 窓サッシは、窓枠の上下枠と縦枠の各枠に設けられた中空部を、水抜き貫孔によって互いに連通させ、下枠の前方に屋外に通ずる排水孔を形成したものである。そして、雨水は、上枠の水抜き貫孔から上枠の中空部内を流れて、水抜き孔によって連通する縦枠の中空部へ流れ、さらに下枠の中空部と水抜き孔を経て、排出孔から屋外に流れるようになっている。
【先行技術文献】
【特許文献】
【０００６】
【特許文献１】実公昭５６−４１５３号公報
【発明の概要】
【発明が解決しようとする課題】
【０００７】
しかしながら、前記特許文献１に開示された窓サッシは、雨水が縦枠の中空部内を流れる構成である。このため、縦枠内に雨水が残存しやすく湿った状態となる。また、縦枠内部から下枠内部へと雨水が流通するため、縦枠と下枠との連結部分から雨水が漏れるおそれもあった。
【０００８】
本発明の課題は、窓サッシの窓枠上部と外壁との間に介在されたシーリング材が、経年等により劣化し、雨水が窓枠上部に浸入した場合であっても、かかる雨水を、縦枠外部を流して排出させ、外壁内や部屋内に雨水が浸入することを防止することにある。
【課題を解決するための手段】
【０００９】
本発明が講じた解決手段は、外壁の開口部に取り付けられる窓枠と、前記窓枠内に、室外側に向けて開閉自在に設けられた障子とを備えた窓サッシにおいて、前記窓枠は、上下枠と一対の縦枠とを備え、前記上枠には、雨水が前記上枠に沿って流れる流路が設けられ、前記上枠の一端には、前記縦枠と障子の一端側とで形成される間隙に連通する排水孔が設けられ、前記下枠には、前記間隙に連通し且つ外部に開口する排出口が設けられ、前記縦枠の上端には、雨水を前記上枠の流路に向けて案内する案内部材が設けられていることにある。
【００１０】
前記本発明は、窓枠上部から浸入した雨水は、上枠の流路を流れて、排水孔に達する。そして、雨水は、排水孔を通って前記縦枠と障子の一端とで形成される間隙に流れる。さらに、間隙を流れた雨水は、下枠の排出口から屋外へ排出される。
【００１２】
前記本発明は、案内部材を設けたため、縦枠上端からの浸水に対しては、上枠側へ雨水を誘導することができるとともに、縦枠に設けられた中空部を通じて外壁内に雨水が浸入することも防止することができる。
【００１３】
前記窓サッシにおいて、前記上枠は、中空部を有し、前記中空部の上片には、排水孔が設けられ、前記中空部の下片には、前記間隙の上端開口に連通する排水孔が設けられていることにある。
【００１４】
前記本発明は、上枠は、中空部を有していることから、上枠の補強も図ることが可能である。
【００１５】
本発明は、外壁の開口部に取り付けられる窓枠と、前記窓枠内に、室内側に向けて開閉自在に設けられた障子とを備えた窓サッシにおいて、前記窓枠は、上下枠と一対の縦枠とを備え、
前記上枠には、雨水が前記上枠に沿って流れる流路が設けられ、前記上枠の一端には、前記流路に連通し且つ外部に開口する排出口が設けられ、前記縦枠の上端には、雨水を前記上枠の流路に向けて案内する案内部材が設けられていることにある。
【００１６】
前記本発明は、窓枠上部から浸入した雨水は、上枠の流路を流れて、排出口から屋外へ排出される。
【００１７】
前記窓サッシにおいて、前記上枠は、中空部を有し、前記中空部の上片に、排水孔が設けられ、前記中空部の屋外側には、前記排出口が設けられたことにある。
【００１８】
本発明の構築物における窓の防水構造は、開口部を有する外壁と、前記外壁の開口部に取り付けられた窓枠と、前記窓枠内に、室外側に向けて開閉自在に設けられた障子とを備え、前記窓枠は、上下枠と一対の縦枠とを備え、前記上枠には、雨水が前記上枠に沿って流れる流路が設けられ、前記上枠の一端には、前記縦枠と障子の一端側とで形成される間隙に連通する排水孔が設けられ、前記下枠には、前記間隙に連通し且つ外部に開口する排出口が設けられ、前記縦枠の上端には、雨水を前記上枠の流路に向けて案内する案内部材が設けられていることにある。
【００１９】
前記本発明の構築物における窓の防水構造は、前記請求項１に記載の窓サッシを使用して容易に実施することができる。
【００２０】
本発明の構築物における窓の防水構造は、開口部を有する外壁と、外壁の開口部に取り付けられた窓枠と、前記窓枠内に、室内側に向けて開閉自在に設けられた障子とを備え、前記窓枠は、上下枠と一対の縦枠とを備え、前記上枠には、雨水が前記上枠に沿って流れる流路が設けられ、前記上枠の一端には、前記流路に連通し且つ外部に開口する排出口が設けられ、前記縦枠の上端には、雨水を前記上枠の流路に向けて案内する案内部材が設けられていることにある。
【００２１】
前記本発明の構築物における窓の防水構造は、前記請求項３に記載の窓サッシを使用して容易に実施することができる。                                                                                   
【発明の効果】
【００２２】
本発明は、浸入して上枠を流れる雨水を、障子と縦枠との間に形成され間隙を利用して下枠の排出口から屋外へ排出することができる。この結果、縦枠内を雨水が流れないので、縦枠内に雨水が残存することなく、雨水を容易且つ迅速に掃除することが可能となる。また、縦枠内を雨水が流れないため、縦枠と下枠との連結部分から雨水が漏れることもない。
【図面の簡単な説明】
【００２３】
【図１】本発明の一実施形態に係る縦すべり出し窓の断面側面図である。
【図２】同縦すべり出し窓の正面図である。
【図３】同縦すべり出し窓の上部を示す斜視図である。
【図４】同縦すべり出し窓の上部を示す分解斜視図である。
【図５】同縦すべり出し窓の上部を示す断面側面図である。
【図６】同縦すべり出し窓の断面平面図である。
【図７】図１に示すＡ―Ａ線断面平面図である。
【図８】同縦すべり出し窓の障子を開放した状態の断面平面図である。
【図９】本発明の他実施形態に係る内倒し窓の断面側面図である。
【図１０】同内倒し窓の正面図である。
【図１１】同内倒し窓の上部を示す断面側面図である。
【図１２】同内倒し窓の断面平面図である。
【図１３】図９に示すＢ−Ｂ線断面平面図である。
【発明を実施するための形態】
【００２４】
以下、本発明の実施の形態について図面を参照しながら説明する。図１〜図８は、本発明の一実施形態を示す。本実施の形態では、窓サッシとしてビルディング、マンション、一般家屋等の構築物の外壁１０に対して設置される縦すべり出し窓１を例示する。
【００２５】
この縦すべり出し窓１は、外壁１０の開口部１１に適宜取り付けられる窓枠２と、この窓枠２に、その窓枠開口２ａを開閉すべく設けられた障子３とを備えている。図１において、矢印Ｏ方向が前方の屋外（室外）方向で、矢印Ｉ方向が後方の屋内（室内）方向を表している。
【００２６】
窓枠２は、図２に示すように、正面視が矩形状に形成されており、上枠２０と、一方の縦枠２１および他方の縦枠２２（一対の縦枠）と、下枠２３とから構成されている。なお、図２において、一方の縦枠２１を左側に、他方の縦枠２２を右側に表示し、同図の左右方向が窓枠幅方向に相当する。
【００２７】
上枠２０は、図１および図５に示すように、窓枠幅方向の中空部からなる上枠本体２０ａと、上枠本体２０ａから上方に延設された窓枠幅方向の中空部からなる上枠前部２０ｂと、上枠本体２０ａから屋内方向に延設されたサブ上枠２０ｃとを備えている。なお、サブ上枠２０ｃは、内壁１０Ａ側に支持されている。
【００２８】
また、上枠２０、縦枠２１、２２および下枠２３は、シ−ル材としての環状のシーリング材４０を介して外壁１０側に密着している。すなわち、窓枠２の全周と外壁１０との間が、シーリング材４０により水密状にシールされている。
【００２９】
上枠本体２０ａの上片部２０ａ１の窓枠幅方向の中央部には、図３および図４に示すように、上枠本体２０ａ内（中空部内）に連通する排水孔４１が形成されている。また、上片部２０ａ１における排水孔４１よりも屋内側には、リブ２０ｄが、上枠本体２０ａの全長にわたって突設されている。
【００３０】
上片部２０ａ１の下方に平行に設けられた下片部２０ａ２の一端（一方の縦枠２１側）には、排水孔４３が形成されている。なお、一方の縦枠２１側が障子吊元側となっている。
【００３１】
上枠２０の両端は、両方の縦枠２１、２２の上端間に、水密状に連結されている。両方の縦枠２１、２２は、上下端が開口する中空部１５、１６をそれぞれ有している。両方の縦枠２１、２２の中空部１５、１６の上端は開口されているため、この中空部１５、１６の上端部には、案内部材としてのキャップ５０が上方からそれぞれ嵌合され、このキャップ５０により、中空部１５、１６の上端開口は閉塞されている。中空部１５、１６の下端開口は、図示省略のキャップ等で適宜閉塞されている。
【００３２】
なお、図３および図４は、一方の縦枠２１およびこの一方の縦枠２１に嵌合されるキャップ５０は、図示省略されている。
【００３３】
キャップ５０は、図４に示すように、中空部１５、１６の上端開口に嵌合される嵌合部５１と、この嵌合部５１の上面に設けられた天壁部５２とを備えている。天壁部５２の周縁には、天壁部５２の上面５２ａよりも上方に突出する周縁部５４、５５が設けられている。周縁部５４は、天壁部５２の屋内側および窓枠幅方向の外側に設けられ、周縁部５５は、天壁部５２の屋外側に設けられている。
【００３４】
天壁部５２の上枠２０側（窓枠幅方向の内側）には、周縁部は設けられておらず、天壁部５２の上面５２ａは、窓枠幅方向の外側から内側に向けて若干低くなるように傾斜している。しかも、天壁部５２の上面５２ａは、上枠２０の上片部２０ａ１よりも高く設定されている。そして、天壁部５２の周縁部が設けられていない最も低くなった縁からは、係合片５６が下向きに延設されている。この係合片５６は、縦枠２１、２２の中空部１５、１６の上端に上方から嵌合されている。
【００３５】
また、両方の縦枠２１、２２の下端内面間には、下枠２３の両端が水密状に連結されている。下枠２３は、窓枠幅方向の中空部からなる下枠本体２３ａと、下枠本体２３ａから下方に延設された水平方向の中空部からなる下枠前部２３ｂと、下枠本体２３ａから後方に延設されたサブ下枠２３ｃとを備えている。
【００３６】
下枠本体２３ａの上片部２３ａ１における両端部には、中空部に連通する排水孔６０が形成されている。
【００３７】
また、下枠本体２３ａと下枠前部２３ｂとを区画する区画リブ２３ｄには、下枠本体２３ａ内と下枠前部２３ｂ内とを連通する排水孔６１が形成されている。また、下枠前部２３ｂには、下枠前部２３ｂと外部とを連通する排出口６２が形成されている。なお、本実施の形態では、この排出口６２は、下枠２３の両端部の２箇所に設けたものを例示するが、その個数は特に限定されるものではない。各排出口６２には、排出弁６３がそれぞれ設けられている。この排出弁６３は、下枠前部２３ｂ内の水の排出は許容するが、屋外から下枠前部２３ｂ内に外気が流入するのを防止するものである。
【００３８】
障子３は、窓枠２内に収納できるように矩形に形成されている。障子３は、ハンドル４５と、ギアケース４６および複数のロッド（図示省略）からなる開閉機構４７により、室外側に開閉できるように構成されており、室内側のハンドル４５を回すことによって、障子３をスムーズに開閉させることが可能である（図７および図８参照）。
【００３９】
障子３は、上框３０ａ、下框３０ｂ、一方の縦框３０ｃ及び他方の縦框３０ｄと、各框で形成される開口を閉塞するガラス３１とから構成されている。
【００４０】
各框３０ａ、３０ｂ、３０ｃ、３０ｄの外周には、フランジ片３２が突設され、このフランジ片３２には、環状の気密材３３が室内向きに固定されている。気密材３３は、障子３を閉じた際に、窓枠２の各枠２０、２１、２２、２３側に室外側から密着するようになっている。
【００４１】
また、窓枠２の各枠２０、２１、２２、２３の内周面側に設けらえたリブ２７ａ、２７ｂ、２７ｃ、２７ｄには、環状の気密材３４が、室外側に向けて取り付けられている。そして、障子３の各框３０ａ、３０ｂ、３０ｃ、３０ｄが、前記気密材３４に密着するようになっている。
【００４２】
ここで、図６に示すように、縦枠２１の窓枠幅方向の内面２１ａと、障子３の縦框３０ｃとの間には、上下に開口する間隙６５が形成されている。そして、前記排水孔４３が、間隙６５の上開口に位置している。このため、排水孔４３を介して上枠本体２０ａの中空部と、間隙６５とが連通している。
【００４３】
また、下枠２３の排水孔６０が、間隙６５の下開口に位置している。このため、排水孔６０を介して、間隙６５と下枠本体２３ａの中空部とが連通している。
【００４４】
本実施の形態の縦すべり出し窓１は以上の構成からなり、次に、前記構成からなる縦すべり出し窓１を使用する場合について説明する。
【００４５】
まず、障子３を閉じた状態において、シーリング材４０の機能により、外壁１０と窓枠２との間がシーリング材４０により密着しシールされている。従って、シーリング材４０により、外壁１０と窓枠２との間から、雨水が外壁１０内や室内に浸入することはない。
【００４６】
かかる縦すべり出し窓１を長期間使用することにより、前記シーリング材４０が劣化したり、破断等したりした場合には、シーリング材４０の機能が低下するおそれがある。このため、窓枠２上部から、外壁１０の開口部１１を介して外壁１０内や部屋内に、雨水が浸入する場合がある。このように、窓枠２上部と外壁１０との間から雨水が浸入した場合について、説明する。なお、図１〜図５において、雨水の流れを矢印で示す。
【００４７】
例えば、窓枠２上部の任意の部分から浸入した雨水は、先ず、上枠本体２０ａの上片部２０ａ１に流れる。この上片部２０ａ１の中央部には、排水孔４１が形成されているため、雨水は上片部２０ａ１を流れて排水孔４１を通り、下片部２０ａ２に達する。なお、リブ２０ｄは、雨水が屋内側に流れるのを防止しており、このリブ２０ｄと上枠前部２０ｂと上片部２０ａ１とにより、雨水の上段流路が構成されている。
【００４８】
また、雨水が縦枠２１、２２の上部に浸入する場合もある。かかる場合には、雨水は、キャップ５０に落下することとなる。天壁部５２の上面５２ａ上の雨水は、天壁部５２の上面５２ａが傾斜しているため、上枠本体２０ａの上片部２０ａ１側に誘導される。このとき、天壁部５２には、下向きの係合片５６が設けられているため、雨水は、この係合片５６を伝って上枠本体２０ａの上片部２０ａ１にスムーズに流れる。
【００４９】
このように、下片部２０ａ２に達した雨水は、下片部２０ａ２上を流れて、下片部２０ａ２の端部に形成された排水孔４３に達する。なお、上枠本体２０ａの中空部（下片部２０ａ２）が下段流路を構成している。
【００５０】
さらに、雨水は、排水孔４３を通り、縦枠２１の内面２１ａと障子３の障子吊元側との間に形成されている間隙６５に流入する。この間隙６５が流路を構成することとなり、雨水は間隙６５に沿って落下し下枠２３に達する。
【００５１】
下枠２３に達した雨水は、排水孔６０を通って、下枠本体２３ａ内に流入し、下枠本体２３ａ内に流入した雨水は、排水孔６１を通って下枠前部２３ｂ内に流入する。さらに、下枠前部２３ｂ内の雨水は、排出口６２を介して屋外へ排出される。
【００５２】
なお、この排出口６２には、排出弁６３が設けられていることから、雨水の排出は許容するが、外気が逆流するのを防止することが可能である。この結果、雨水が外気とともに排出口６２内に不用意に浸入するのを防止できる。
【００５３】
以上のように、本実施の形態は、上枠２０の上段流路および下段流路、縦枠２１と障子３との間に形成される流路、下枠２３の流路から一連の流路を構成し、雨水をこの一連の流路を流して外部に排出することができる。
【００５４】
また、障子３を開放することにより、間隙６５を形成していた縦枠２１の内面２１ａと障子３の障子吊元側とを開放（露出）させることができる（図８参照）。従って、縦枠２１の内面２１ａと障子３の障子吊元側とに付着して残存する雨水を、拭き取ることにより、容易且つ迅速に除去することができ、縦枠２１の内面２１ａと障子３の障子吊元側との掃除を簡単に行える。
【００５５】
しかも、本実施の形態は、上枠２０の両端は、両方の縦枠２１、２２の上端間（上端部の内面間）に連結され、且つ、下枠２３の両端は、両方の縦枠２１、２２の下端間（下端部の内面間）に連結されている。このように、上枠２０および下枠２３を、両方の縦枠２１、２２の間に連結するため、上枠２０および下枠２３は、それぞれの長さに切断するだけでよく、特に連結するための加工が不要となる。しかも、縦枠２１の内面２１ａと障子３の障子吊元側との間隙６５を流路として利用するため、かかる流路を形成するための特別の加工が不要となる。この結果、本実施の形態の縦すべり出し窓１を簡易に製造することも可能で、製造コストも安価である。
【００５６】
本実施の形態では、障子吊元側に流路を形成したが、障子吊元側とは反対側の戸先側に設けることも可能である。すなわち、他方の縦枠２２と障子３との間にも間隙６５Ａが形成されており（図６参照）、この間隙６５Ａを流路として利用することは可能である。かかる場合には、排水孔４３は、上枠本体２０ａの下片部２０ａ２の他端部に設けることとなる。かかる戸先側には、障子３を解除自在に固定するロック機構７０が、通常、障子３と縦枠２２との間に設けられている。
【００５７】
従って、ロック機構７０が、雨水の流れの支障となる場合には、前記流路は障子吊元側に設けるのが好ましい。
【００５８】
本実施の形態は、上枠２０と上框３０ａとの間には、間隙６５Ｂが形成され、下枠２３と下框３０ｂとの間には、間隙６５Ｃが形成されている。そして、これら間隙６５Ｂ、６５Ｃは、前記間隙６５、６５Ａと連通している。従って、これら間隙６５、６５Ａ、６５Ｂ、６５Ｃは、排水孔４１および排水孔４３を介して、外気と同気圧である外壁１０の内側空間（外壁１０と内壁１０Ａとの間の空間）Ｓと連通する。
【００５９】
仮に、窓枠２と障子３との間に形成された間隙が、外気と遮断されていると、外気温度差等により、負圧となるおそれがある。このように、間隙が負圧となると、雨水が窓枠２と障子３との間から吸引され浸入し易くなる。
【００６０】
しかしながら、本実施の形態は、かかる間隙６５、６５Ａ、６５Ｂ、６５Ｃを大気圧と同等にしているため、間隙６５、６５Ａ、６５Ｂ、６５Ｃ内が負圧となる場合に比し、雨水が間隙６５、６５Ａ、６５Ｂ、６５Ｃ内に浸入し難くなり、縦すべり出し窓１の水密性能が向上する。
【００６１】
また、上枠２０の上枠本体２０ａの上片部２０ａ１の上面側は、両端側から排水孔４１に向けて若干低くなるように傾斜させることも可能である。例えば、上片部２０ａ１の上面に、図示省略のテーパ部材を固定し、このテーパ部材の上面が排水孔４１に向けて低くなるように傾斜する傾斜面として形成することも可能である。このように、上片部２０ａ１の上面側を傾斜させることにより、雨水を排水孔４１に向けて流れやすくできる。また、同様の目的から、下片部２０ａ２も排水孔４３に向けて若干低くなるように傾斜させることも可能である。
【００６２】
また、排水孔４１を、上枠本体２０ａの上片部２０ａ１の窓枠幅方向の中央部に形成した場合を例示したが、排水孔４１は、排水孔４３と相対的にずれた位置であれば、上片部２０ａ１の任意の位置に形成することが可能である。
【００６３】
図９〜図１３は、本発明の他の実施の形態を示す。本実施の形態は、内倒し窓１Ａを例示する。なお、前記縦すべり出し窓１と同一部材は同一符号を付して、それぞれの具体的な説明は省略する。
【００６４】
内倒し窓１Ａは、窓枠２と障子３とを備えている。窓枠２は、上枠２０、一方の縦枠２１及び他方の縦枠２２および下枠２３とから構成されている。
【００６５】
上枠本体２０ａの上片部２０ａ１の水平方向の中央部には、中空部に連通する排水孔４１が形成されている。また、上枠本体２０ａの前片部２０ａ３の両端側には、排出口６６がそれぞれ形成されている。各排出口６６には、排出弁６３がそれぞれ設けられている。
【００６６】
また、上枠本体２０ａには、前記各排出口６６の前方に位置するように、庇片６７が下向きに延設されている。なお、庇片６７は、排出口６６への外気の逆流を防止したり、排出弁６３が雨水に曝されるのを防止したりする機能を備えるため、排出弁６３とともに設けることが好ましいが、庇片６７は必ずしも設ける必要はない。
【００６７】
また、上枠２０、縦枠２１、２２および下枠２３には、気密材３３を有するリブ２８ａ、２８ｂ、２８ｃ、２８ｄがそれぞれ設けられている。そして、この気密材３３に、障子３が屋内側から密着している。
【００６８】
障子３の上框３０ａには、ロック機構６８が設けられおり、このロック機構６８を操作することにより、障子３を図９の仮想線で示すように、屋内側に傾斜して開放することが可能である。
【００６９】
本実施の形態に係る内倒し窓１Ａは、以上の構成からなり、次に、かかる内倒し窓１Ａを長期間使用することにより、前記シーリング材４０が劣化等した場合には、窓枠２上部から、外壁１０の開口部１１を介して外壁１０内や部屋内に雨水が浸入するおそれがある。
【００７０】
このように、窓枠２上部と外壁１０との間から雨水が浸入した場合について、説明する。窓枠２上部の任意に部分から浸入した雨水は、先ず、上枠本体２０ａの上片部２０ａ１に流れる。この上片部２０ａ１の中央部には、排水孔４１が形成されているため、雨水は上片部２０ａ１を流れて排水孔４１を通り、下片部２０ａ２に達する。
【００７１】
また、雨水が縦枠２１、２２の上部に浸入する場合において、雨水は、キャップ５０に落下し、天壁部５２の上面５２ａ上の雨水は、上枠本体２０ａの上片部２０ａ１側に誘導される。
【００７２】
そして、下片部２０ａ２に達した雨水は、排出口６６を介して屋外へ排出される。
【００７３】
本発明は、前記実施形態に限定されることはない。例えば、縦すべり出し窓１を例示したが、横すべり出し窓も可能である。通常の丁番で障子を開閉することも可能である。
【符号の説明】
【００７４】
１          縦すべり出し窓
２          窓枠
２ａ        窓枠開口
１０        外壁
１１        開口部
２０        上枠
２０ａ      上枠本体
２０ａ１    上片部
２０ａ２    下片部
２０ｂ      上枠前部
２０ｃ      サブ上枠
２１        一方の縦枠
２２        他方の縦枠
２３        下枠
２３ａ      下枠本体
２３ｂ      下枠前部
２３ｄ      区画リブ
４０        シーリング材
４１        排水孔
４３        排水孔
５０        キャップ（案内部材）
６０        排水孔
６１        排水孔
６２        排出口
６３        排出弁
６５        間隙
６６        排出口
６７        庇片
【図１】
0005411176.tif 000002
【図２】
0005411176.tif 000003
【図３】
0005411176.tif 000004
【図４】
0005411176.tif 000005
【図５】
0005411176.tif 000006
【図６】
0005411176.tif 000007
【図７】
0005411176.tif 000008
【図８】
0005411176.tif 000009
【図９】
0005411176.tif 000010
【図１０】
0005411176.tif 000011
【図１１】
0005411176.tif 000012
【図１２】
0005411176.tif 000013
【図１３】
0005411176.tif 000014